(57)【要約】      （修正有）【課題】ハードディスクが各方向から受ける振動、衝撃を緩衝することができる防振構造を実現する。【解決手段】２組のＬ形鉄１０及びＩ形鉄２０と数個の油圧緩衝装置３０及び防振ゴムカバー４０、ばね５０とを有する。主な特徴は、円筒形状の油圧緩衝装置が防振ゴムカバー内に嵌入設置され、ばねの一端がＬ形鉄のフック１１ｃ上にフックされ、もう一端がＩ形鉄のフック２２上にフックされ、Ｉ形鉄前後端の固定孔２１内に頂針２１ａがネジ固定され、頂針前端を油圧緩衝装置の円孔３２ａ内に嵌入してある。ハードディスク２を一対の防振構造１の間に設置し、更にハードディスクを取り付けた該防振構造を電子器材の適当な位置に設置することにより、各方向の振動を吸収することができる。【選択図】図１
0003113106.tif 000002
【実用新案登録請求の範囲】
【請求項１】
２組のＬ形鉄（１０）及びＩ形鉄（２０）と、数個の油圧緩衝装置（３０）及び防振ゴムカバー（４０）、ばね（５０）とを有するハードディスクの防振構造であって、
該Ｌ形鉄（１０）は、金属板をＬ字形に折り曲げて形成したものであり、直立部（１１）及び固定部（１２）を有し、該直立部（１１）は前後端付近に１つの円孔（１１ａ）及び２つのネジ固定孔（１１ｂ）を有し、上縁中央に折り曲げてなる１つのフック（１１ｃ）を有し、且つ、該固定部（１２）は該フック（１１ｃ）に相対する所に１つの開き口（１２ａ）を有する構成であり、
該Ｉ形鉄（２０）は、金属板裁断により形成したものであり、前後端付近にそれぞれＬ形鉄（１０）の円孔（１１ａ）に相対する固定孔（２１）を有し、中央下縁にＬ形鉄（１０）開き口（１２ａ）に相対するフック（２２）を有し、各固定孔（２１）内にそれぞれ１つの頂針（２１ａ）が螺合設置され、該頂針（２１ａ）は固定孔（２１）に相対する側は雄ネジ（２１ａ１）を有し、油圧緩衝装置（３０）に相対する側に１つの頂針部（２１ａ２）を有する構成であり、
該油圧緩衝装置（３０）は、プラスチック形成の外殻体（３１）とゴム油圧部（３２）と鉄形成の凹形鉄（３３）とからなり、該ゴム油圧部（３２）は中心に頂針部（２１ａ２）と相対する円孔（３２ａ）を有し、該外殻体（３１）は両側に固定用の平面部（３１ａ）を有し、該凹形鉄（３３）は両端に固定部（３３ａ）を有し、該固定部（３３ａ）は中心に雌ネジ（３３ａ１）を有する構成であり、
該防振ゴムカバー（４０）は、１つの円筒形状であり、その外径はＬ形鉄（１０）の円孔（１１ａ）の内径に相対し、一端にＬ形鉄（１０）の円孔（１１ａ）よりも外径の大きい環部（４１）を有し、その内径は油圧緩衝装置（３０）の外径に相対する構成である、
ことを特徴とするハードディスクの防振構造。
【考案の詳細な説明】
【技術分野】
【０００１】
本考案はハードディスクの防振構造の改良で、特に、一種の２組のＬ形鉄及びＩ形鉄と数個の油圧緩衝装置及び防振ゴムカバー、ばねとからなる防振構造に係り、防振ゴムカバーの円筒形状が該油圧緩衝装置を緊密に包む構造により、緩衝効果を更に高めた防振構造に関する。
【背景技術】
【０００２】
ノート型パソコンやハードディスクを使用する携帯式電子器材等の設備は軽く、持ち運びに便利であるが、使用時、振動を受けるとその瞬間衝撃によりハードディスクの読み取りヘッドとディスクがぶつかり、ハードディスクがクラッシュしてしまう恐れがあり、ハードディスクメーカーは防振設計を進めている。
【考案の開示】
【考案が解決しようとする課題】
【０００３】
しかし、実際の使用時、振動や衝撃を受ける時間や場所を予測することは不可能であり、大多数のハードディスクは実際のニーズに耐えられるものではない。
【０００４】
本考案者は上記課題に取り組み、関係する製品の開発及び設計に従事し、上記の目標に焦点をしぼり、研究を行ない、設計もより精密になり、試験と評価を繰り返し、ついに実用性のある本考案が完成した。
【０００５】
本考案は、上記課題を解決したハードディスクの防振構造を提供することを目的とする。
【課題を解決するための手段】
【０００６】
本考案は、２組のＬ形鉄（１０）及びＩ形鉄（２０）と数個の油圧緩衝装置（３０）及び防振ゴムカバー（４０）、ばね（５０）とからなり、
円筒形状の防振ゴムカバー（４０）をＬ形鉄（１０）の前後端付近にある円孔（１１ａ）内に固定し、
油圧緩衝装置（３０）を防振ゴムカバー（４０）内に嵌入設置し、
該油圧緩衝装置（３０）は中心に円孔（３２ａ）を具備し、
ばね（５０）の一端がＬ形鉄（１０）のフック（１１ｃ）上に係止され、
且つ、ばね（５０）のもう一端をＩ形鉄（２０）のフック（２２）上に係止され、
Ｉ形鉄（２０）の前後端の固定孔（２１）内に頂針（２１ａ）をネジ固定され、
頂針（２１ａ）の前端が油圧緩衝装置（３０）の円孔（３２ａ）内に嵌入してある構成としたことを特徴とする。
【考案の効果】
【０００７】
使用時、ハードディスク（２）を該防振構造（１）の２つのＩ形鉄（２０）の間に設置し、更に外側の２つのＬ形鉄（１０）を電子器材の適当な位置に設置することにより、防振構造（１）の防振効果が得られる。油圧緩衝装置（３０）は比較的に有効に振動を緩衝することが出来る。ばね（５０）はＩ形鉄（２０）がＬ形鉄（１０）上に設置されるのを補助固定し、各方向の振動を油圧緩衝装置（３０）中心点に回帰させることができ、その往復行程により振動を吸収することが出来る。且つ、防振ゴムカバー（４０）の円筒形状が油圧緩衝装置（３０）を緊密に包む構造により、緩衝効果を更に高めることができる。
【考案を実施するための最良の形態】
【０００８】
次に本考案の実施の形態について説明する。
【実施例１】
【０００９】
本考案の構造の特徴及びその効果を以下に実施例とそれに合わせた図式及び詳細な説明を列挙し、本考案の長所を詳述する。
【００１０】
図２は本考案の実施例１になるハードディスクの防振構造を示し、図１はこの防振構造を分解して示す。
【００１１】
外設式防振構造は、主に２組のＬ形鉄（１０）及びＩ形鉄（２０）と数個の油圧緩衝装置（３０）及び防振ゴムカバー（４０）、ばね（５０）とからなり、ハードディスク（２）が防振構造（１）内に設置され、ハードディスク（２）の両側に油圧緩衝装置（３０）、防振ゴムカバー（４０）、ばね（５０）が設置されることで、油圧緩衝装置（３０）、防振ゴムカバー（４０）、ばね（５０）が各方向からの振動を有効的に緩衝することができる構造であり、特に、防振ゴムカバー（４０）の円筒形状が油圧緩衝装置（３０）を緊密に包む構造により、緩衝効果を更に高めることができる構造である。
【００１２】
ハードディスクに外設される防振構造は、主に２組のＬ形鉄（１０）及びＩ形鉄（２０）と、数個の油圧緩衝装置（３０）及び防振ゴムカバー（４０）、ばね（５０）とからなる。
【００１３】
Ｌ形鉄（１０）は、金属板をＬ字形に折り曲げて形成したものであり、直立部（１１）及び固定部（１２）を有する。直立部（１１）は前後端付近に１つの円孔（１１ａ）及び２つのネジ固定孔（１１ｂ）を有し、上縁中央に折り曲げてなる１つのフック（１１ｃ）を有する。固定部（１２）はフック（１１ｃ）に相対する所に１つの開き口（１２ａ）を有する。
【００１４】
Ｉ形鉄（２０）は、金属板裁断により形成したものであり、前後端付近にそれぞれＬ形鉄（１０）の円孔（１１ａ）に相対する固定孔（２１）を有し、中央下縁にＬ形鉄（１０）開き口（１２ａ）に相対するフック（２２）を有する。固定孔（２１）内にそれぞれ１つの頂針（２１ａ）が螺合設置してある。頂針（２１ａ）は固定孔（２１）に相対する側は雄ネジ（２１ａ１）を有し、油圧緩衝装置（３０）に相対する側に１つの頂針部（２１ａ２）を有する。
【００１５】
油圧緩衝装置（３０）は、プラスチック形成の外殻体（３１）とゴム油圧部（３２）と鉄形成の凹形鉄（３３）とからなる。ゴム油圧部（３２）は中心に頂針部（２１ａ２）と相対する円孔（３２ａ）を有する。外殻体（３１）は両側に固定用の平面部（３１ａ）を有する。凹形鉄（３３）は両端に固定部（３３ａ）を有する。固定部（３３ａ）は中心に雌ネジ（３３ａ１）を有する。
【００１６】
防振ゴムカバー（４０）は、１つの円筒形状であり、その外径はＬ形鉄（１０）の円孔（１１ａ）の内径に相対し、一端にＬ形鉄（１０）の円孔（１１ａ）よりも外径の大きい環部（４１）を有し、その内径は油圧緩衝装置（３０）の外径に相対する構成である、
防振構造（１）は以下の手順（１）〜（７）で組み合わせて組み立てる。
（１）防振ゴムカバー（４０）をＬ形鉄（１０）の前後端付近にある円孔（１１ａ）内に固定する。
（２）油圧緩衝装置（３０）を防振ゴムカバー（４０）内に嵌入設置する。
（３）凹形鉄（３３）をＬ形鉄（１０）の円孔（１１ａ）の両側にあるネジ固定孔（１１ｂ）にネジ止めして固定する。
（４）ばね（５０）の一端をＬ形鉄（１０）のフック（１１ｃ）に係止する。
（５）ばね（５０）のもう一端をＩ形鉄（２０）のフック（２２）に係止する。
（６）Ｉ形鉄（２０）前後端の固定孔（２１）内に頂針（２１ａ）をネジ止めして固定する。
（７）頂針（２１ａ）前端の頂針部（２１ａ２）を油圧緩衝装置（３０）の円孔（３２ａ）内に嵌入する。
【００１７】
別の防振構造（１）上述と同じ方法で組み合わされることにより、一対の防振構造（１）を構築することができる。
【００１８】
図３及び図４は一対の防振構造（１）がハードディスク（２）に設置され、ハードディスク（２）が防振構造（１）を介して電子器材の適当な位置に設置された状態を示す。
【００１９】
油圧緩衝装置（３０）は比較的に有効に振動を緩衝することができる。
【００２０】
ばね（５０）はＩ形鉄（２０）がＬ形鉄（１０）上に設置されるのを補助固定し、各方向の振動を油圧緩衝装置（３０）中心点に回帰させる。その往復行程によって振動が吸収される。
【００２１】
防振ゴムカバー（４０）の円筒形状が油圧緩衝装置（３０）を緊密に包む構造により、緩衝効果は更に高められている。
【００２２】
上記構造によりハードディスク（２）が衝撃を受ける時、油圧緩衝装置（３０）、防振ゴムカバー（４０）、ばね（５０）の三層式防振効果を発揮することができる。
【００２３】
上記は本考案の考案実施例について本創作の技術及び特徴を具体に説明するもので、熟知した技術者が本創作の延長線上で修正作業を行なっても本創作の権利範囲内である。
【図面の簡単な説明】
【００２４】
【図１】本考案の実施例１になるハードディスクの防振構造の分解斜視図である。
【図２】本考案の実施例１になるハードディスクの防振構造の斜視図である。
【図３】防振構造がハードディスクに適用されハードディスクの水平方向の振動を緩衝する状態を示す図である。
【図４】防振構造がハードディスクに適用されハードディスクの垂直方向の振動を緩衝する状態を示す図である。
【符号の説明】
【００２５】
１  防振構造
２  ハードディスク
１０  Ｌ形鉄
１１  直立部
１１ａ  円孔
１１ｂ  ネジ固定孔
１１ｃ  フック
１２  固定部
１２ａ  開き口
２０  Ｉ形鉄
２１  固定孔
２１ａ  頂針
２１ａ１  雄ネジ
２１ａ２  頂針部
２２  フック
３０  油圧緩衝装置
３１  外殻体
３１ａ  平面部
３２  ゴム油圧部
３２ａ  円孔
３３  凹形鉄
３３ａ  固定部
３３ａ１  雌ネジ
４０  防振ゴムカバー
４１  環部
５０  ばね
【図１】
0003113106.tif 000003
【図２】
0003113106.tif 000004
【図３】
0003113106.tif 000005
【図４】
0003113106.tif 000006